(57)【要約】      （修正有）【課題】構造が合理的であり、コンパクト化が大幅に向上し、重さ及び体感重量が削減され、使用者がもっと楽に操作することができ、複数の付属品を接続することができ、いろんな環境で使用しやすいハンディクリーナ本体を提供する。【解決手段】ダストカップ３０、風路接続管１０、モータ２０およびハンドル４０を備え、風路接続管の一端が床ブラシに連結され、他端がダストカップの吸気口に連結され、ダストカップの排気口はモータの排風路に連結され、モータは風路接続管の排気口側に設けられ、モータとダストカップの中心線とのなす角度が０〜６９°であり、ハンドルはダストカップ側に設けられ、ハンドルとダストカップは着脱可能に連結され、モータの回転により負圧が形成されて吸引力が発生し、ホコリは床ブラシにより風路接続管に沿ってダストカップに吸い込まれ、サイクロン３０２により分離ろ過され、ホコリはダストカップに溜まり、ろ過後のきれいな風はモータにより排出される。【選択図】図４
0003209631.tif 000002
【実用新案登録請求の範囲】
【請求項１】
ダストカップ、風路、モータ及びハンドルを備えるハンディクリーナ本体であって、さらに、気流通路であり、一端が床ブラシに連結され、他端が前記ダストカップの吸気口に連結される風路接続管を備え、前記ダストカップの排気口が前記モータの吸気口に連結され、
前記ダストカップ、モータ及びハンドルの位置関係は、
前記ダストカップが前記モータの頂部に横置され、前記モータが前記風路接続管の排気口側に設けられ、前記ダストカップが前記風路接続管に平行であり、前記風路接続管が前記ダストカップの中心線を基準に±３０°以内であり、前記風路接続管の吸気口が水平方向であり、前記風路接続管の排気口が前記ダストカップの吸気口と接線方向に接続され、前記ダストカップの内部にサイクロンが設けられ、クリーナ本体が水平に置かれる場合、前記モータと前記ダストカップの中心線とのなす角度が０〜６９°であり、前記ハンドルが前記ダストカップの一側に設けられ、前記ダストカップと前記ハンドルとが着脱可能に連結されるか、又は、
前記ダストカップが前記モータの底部に横置され、前記ダストカップが前記風路接続管に平行であり、前記風路接続管が前記ダストカップの中心線を基準に±３０°以内であり、前記風路接続管の吸気口が水平方向であり、前記風路接続管の排気口が前記ダストカップの吸気口と接線方向に接続され、前記ダストカップの内部にサイクロンが設けられ、クリーナ本体が水平に置かれる場合、前記モータと前記ダストカップの中心線とのなす角度が０〜６９°であり、前記ハンドルが前記モータの一側に設けられ、
前記風路が前記風路接続管、ダストカップ及びモータの間に形成され、前記風路の方向は、前記モータの回転により負圧が形成されて吸引力が生じ、ホコリが吸引力によって前記風路接続管に沿って前記ダストカップに吸い込まれ、前記ダストカップにおける前記サイクロンにより分離ろ過され、ホコリは前記ダストカップ内に溜まり、ろ過後のきれいな風は前記モータを介して排出されることを特徴とするハンディクリーナ本体。
【請求項２】
さらに電池ユニットを備え、前記電池ユニットは前記ハンドルの底部に着脱可能に設けられ、クリーナ本体が水平に置かれる場合、前記電池ユニットと前記モータはそれぞれ支持点を有することを特徴とする請求項１に記載のハンディクリーナ本体。
【請求項３】
前記電池ユニットが安全機構により前記クリーナ本体に着脱可能に連結され、
前記安全機構は、
クリーナ本体に横設され、一端が前記クリーナ本体の外部からの回転トルクを受け、他端の軸方向の端面に押圧蓋が当接される偏心軸と、
前記偏心軸に垂直であり、前記偏心軸が挿通されており、鉛直方向に移動可能である固定部材であって、前記固定部材が下方に移動した時、その底端が電池ユニットを押圧することで、前記電池ユニットが前記クリーナ本体に固定され、前記固定部材の先端に復帰バネが設けられ、前記復帰バネの一端が前記固定部材の先端を押圧し、前記復帰バネの他端が前記押圧蓋の底面に連結される固定部材とを備え、
前記偏心軸は前記クリーナ本体の外部からの回転トルクを受けて回転し、前記偏心軸の回転時、前記偏心軸が回転中心線から外れて前記固定部材に上方への力を与え、前記固定部材が鉛直方向に上方に向かって移動し、前記固定部材の底端が前記電池ユニットから離間することで、前記電池ユニットが前記クリーナ本体から取り外されることを特徴とする請求項２に記載のハンディクリーナ本体。
【請求項４】
前記クリーナ本体に凹溝が設けられ、前記偏心軸の一端が前記凹溝に挿入され、前記偏心軸の一端の端面につまみ溝が設けられ、前記つまみ溝により前記偏心軸に回転トルクを加えることで、前記偏心軸が回転トルクを受けて偏心して回転し、前記固定部材が上方に移動して前記電池ユニットから離間することを特徴とする請求項３に記載のハンディクリーナ本体。
【請求項５】
さらに充電穴が設けられ、前記充電穴内に充電ピンが配置され、前記充電ピンが充電台に連結されることで前記電池ユニットが充電され、充電時、前記充電ピンが前記充電台に下方に向かって挿入され、前記ダストカップが下方に向かって置かれることを特徴とする請求項２に記載のハンディクリーナ本体。
【請求項６】
前記モータと前記ダストカップの中心線とのなす角度が０〜３０°であることを特徴とする請求項１に記載のハンディクリーナ本体。
【請求項７】
さらにフィルターを備え、前記フィルターが前記サイクロンの排気端に設けられ、前記モータの回転により負圧が形成されて吸引力が生じ、ホコリが吸引力によって前記風路接続管に沿って前記ダストカップに吸い込まれ、前記サイクロンにより１次分離ろ過された後、前記フィルターにより２次ろ過され、最終的にホコリは前記ダストカップ内に溜まり、ろ過後のきれいな風は前記モータを介して排出されることを特徴とする請求項１又は２に記載のハンディクリーナ本体。
【請求項８】
前記ハンドルの内側にスイッチボタンが設けられ、前記スイッチボタンによりクリーナ本体の作動が制御され、前記ハンドルの把持部が軟質ゴムで被覆されることを特徴とする請求項１又は２に記載のハンディクリーナ本体。
【請求項９】
前記風路接続管は帯電伸縮管を介して電動床ブラシに連結され、前記帯電伸縮管と前記風路接続管とはポップアップユニットを介して連結され、前記帯電伸縮管と電動床ブラシとはポップアップユニットを介して連結されることを特徴とする請求項１に記載のハンディクリーナ本体。
【請求項１０】
前記ダストカップは円筒状構造であり、前記ダストカップのホコリ堆積端部が開口しており、前記開口にホコリ排出カバーが設けられ、前記ホコリ排出カバーは押圧係止部材により前記ダストカップに固定され、前記押圧係止部材を手動で押圧することで前記ダストカップが開放されて、前記ダストカップからホコリが排出されることを特徴とする請求項１に記載のハンディクリーナ本体。
【考案の詳細な説明】
【技術分野】
【０００１】
本考案はクリーナ分野に関し、詳しくはハンディクリーナ本体に関するものである。
【背景技術】
【０００２】
クリーナは家庭または公共施設の清掃に用いられる重要ツールであり、その作動原理は、吸込ヘッドを掃除しようとする領域に置き、クリーナで気流を発生させ、ゴミおよび屑を気流に含ませてダストカップ内に吸い込み、ゴミおよび屑をダストカップ内に堆積させて後処理する。
【０００３】
ハンディクリーナはよく用いられる家庭用クリーナであり、小型で、重さがキャニスタークリーナおよびバキュームクリーナよりも軽く、また、配管および床ブラシを取り付ければアップライトクリーナに変換することができるため、家庭の清掃に好適である。
【０００４】
現在よく目にするハンディ式の真空クリーナにはコード式もあれば、バッテリー式もあり、バッテリー式ハンディクリーナはコードの束縛から逃れて、使用者は狭い空間内で掃除すべき位置まで操作することができ、バッテリー式ハンディクリーナの利便性でコード式クリーナの不足を補っている。
【先行技術文献】
【特許文献】
【０００５】
【特許文献１】特開２０１６−１５２９２２
【考案の概要】
【考案が解決しようとする課題】
【０００６】
掃除を行うとき、ハンディクリーナでソファーやベッドの下、家具の隙間のホコリを吸い取らなければならないので、ハンディクリーナは軽量で小型でなければならない。したがって、本体部分の各々の部材の相対的な位置が合理的であることが求められており、クリーナの吸引力および除塵力を確保するために、限られた空間内で各部分の位置を如何に設け、風路における気流がよりスムーズにゴミを吸い込むようにし、風路の角度の問題で本体の体積に影響を及ぼさないようにし、製品を軽量化し、操作しやすいものにするなどいずれも解決しなければならない問題である。現在一般的に使用されているハンディクリーナにはいくつかの欠陥が存在する。
【０００７】
（１）モータ、風路、ダストカップ及び電源端子（コード式またはバッテリー式）はクリーナ本体に欠かせない部品であり、これらの部品同士の構造は任意に組み合わされるものではない。現在よく使用されているクリーナ本体は一般的にモータが後に置かれダストカップが前に置かれる構造であり、このような本体の構造は大型で、製品のコンパクト性に欠けており、また、このような本体の構造は長さが長く、製品の重心が下にあって、重く、操作性が悪い。
【０００８】
（２）現在よく使用されているハンディクリーナは長さの調整にも問題があり、主に３種類あって、一つ目は長い固定ハンドルを有するクリーナであり、このようなクリーナは高いところまたは遠いところは吸い取ることができるが、狭い空間では、使用することができず、小さな空間の吸塵清掃には不便をもたらす。二つ目は伸縮可能なハンディクリーナであり、この伸縮可能なハンディクリーナは固定式の不便問題は解決したものの、クリーナのほとんどはモータの付いていない普通の床ブラシが使用され、床ブラシの吸塵強度および清掃効率が低い。三つ目はモータ付き床ブラシが連結されたクリーナ本体であり、小型で、狭い空間での使用に適するが、高いところまたは遠いところへの使用にはふさわしくない。
【０００９】
（３）バッテリー式ハンディクリーナはバッテリーを取り外すことができ、交換が便利になっており、現在よく使用されるバッテリー式ハンディクリーナは、バッテリーの取り外しを便利にするために、一般的に押圧式固定構造を用いてバッテリーを固定し、使用者が押圧ボタンを押すと、バッテリーが取り外され、このような取り外し方は利便性を持っているが、安全性が低く、子供も簡単にバッテリーを取り外すことができて、安全上の危険を引き起こす。したがって、クリーナ本体に用いられ、子供には簡単に取り外すことができなく、大人の使用にも影響を及ぼさない、安全機構が求められている。
【００１０】
（４）従来の導電性配管および電動床ブラシ付きハンディクリーナは、導電性配管および電動床ブラシが本体に連結された後は抜き出しが不便で（特にホコリを吸い取った後ホコリが接続口にくっついて）、非常に操作しにくい。導電性配管と電動床ブラシとの間のポップアップユニットがこの使用上の問題を解決した。
【００１１】
本考案の目的は、上述した従来技術に存在する問題を克服しながら、構造が合理的であり、コンパクト化が大幅に向上し、重さ及び体感重量が削減され、使用者がもっと楽に操作することができ、複数の付属品を接続することができ、いろんな環境で使用しやすいハンディクリーナ本体を提供することにある。
【課題を解決するための手段】
【００１２】
上述した技術的目的を実現し、上述した技術的効果を達成するために、本考案は次の技術的手段により実現される。
【００１３】
ハンディクリーナ本体であって、ダストカップ、風路、モータ及びハンドルを備え、さらに、
気流通路であり、一端が床ブラシに連結され、他端が前記ダストカップの吸気口に連結される風路接続管を備え、前記ダストカップの排気口が前記モータの吸気口に連結され、
前記ダストカップ、モータ及びハンドルの位置関係は、
前記ダストカップが前記モータの頂部に横置され、前記モータが前記風路接続管の排気口側に設けられ、前記ダストカップが前記風路接続管に平行であり、前記風路接続管が前記ダストカップの中心線を基準に±３０°以内であり、前記風路接続管の吸気口が水平方向であり、前記風路接続管の排気口が前記ダストカップの吸気口と接線方向に接続され、前記ダストカップの内部にサイクロンが設けられ、クリーナ本体が水平に置かれる場合、前記モータと前記ダストカップの中心線とのなす角度が０〜６９°であり、前記ハンドルが前記ダストカップの一側に設けられ、前記ダストカップと前記ハンドルとが着脱可能に連結されるか、又は、
前記ダストカップが前記モータの底部に横置され、前記ダストカップが前記風路接続管に平行であり、前記風路接続管が前記ダストカップの中心線を基準に±３０°以内であり、前記風路接続管の吸気口が水平方向であり、前記風路接続管の排気口が前記ダストカップの吸気口と接線方向に接続され、前記ダストカップの内部にサイクロンが設けられ、クリーナ本体が水平に置かれる場合、前記モータと前記ダストカップの中心線とのなす角度が０〜６９°であり、前記ハンドルが前記モータの一側に設けられ、
前記風路が前記風路接続管、ダストカップ及びモータの間に形成され、前記風路の方向は、前記モータの回転により負圧が形成されて吸引力が生じ、ホコリが吸引力によって前記風路接続管に沿って前記ダストカップに吸い込まれて、前記ダストカップにおける前記サイクロンにより分離ろ過され、ホコリは前記ダストカップ内に溜まり、ろ過後のきれいな風は前記モータにより排出される。
【００１４】
本考案の一つの好ましい実施形態において、さらに、電池ユニットを備え、前記電池ユニットは前記ハンドルの底部に着脱可能に設けられ、クリーナ本体が水平に置かれた時、前記電池ユニットと前記モータはそれぞれ支持点を有する。
【００１５】
本考案の一つの好ましい実施形態において、さらに、前記電池ユニットは安全機構により前記クリーナ本体に着脱可能に連結され、前記安全機構は、
クリーナ本体に横設され、一端が前記クリーナ本体の外部からの回転トルクを受け、他端の軸方向の端面に押圧蓋が当接される偏心軸と、
前記偏心軸に垂直であり、前記偏心軸が挿通され、鉛直方向に移動可能である固定部材であって、前記固定部材が下方に移動した時、その底端が電池ユニットを押圧することで、前記電池ユニットが前記クリーナ本体に固定され、前記固定部材の先端に復帰バネが設けられ、前記復帰バネの一端が前記固定部材の先端を押圧し、前記復帰バネの他端が前記押圧蓋の底面に連結される固定部材とを備え、
前記偏心軸は前記クリーナ本体の外部からの回転トルクを受けて回転し、前記偏心軸の回転時、前記偏心軸が回転中心線からずれて、前記固定部材に上方への力を与え、前記固定部材が鉛直方向に上方に向かって移動し、前記固定部材の底端が前記電池ユニットから離間することで、前記電池ユニットが前記クリーナ本体から取り外される。
【００１６】
本考案の一つの好ましい実施形態において、さらに、前記クリーナ本体に凹溝が設けられ、前記偏心軸の一端が前記凹溝に挿入され、前記偏心軸の一端の端面につまみ溝が設けられ、前記つまみ溝により前記偏心軸に回転トルクを加えることで、前記偏心軸が回転トルクを受けて偏心して回転し、前記固定部材が上方に移動して前記電池ユニットから離間する。
【００１７】
本考案の一つの好ましい実施形態において、さらに、充電穴が設けられ、前記充電穴内に充電ピンが配置され、前記充電ピンが充電台に連結されることで前記電池ユニットが充電され、充電時、前記充電ピンが前記充電台に下方に向かって挿入され、前記ダストカップが下方に向かって置かれる。
【００１８】
本考案の一つの好ましい実施形態において、さらに、前記モータと前記ダストカップの中心線とのなす角度が０〜３０°である。
【００１９】
本考案の一つの好ましい実施形態において、さらに、フィルターを備え、前記フィルターが前記サイクロンの排気端に設けられ、前記モータの回転により負圧が形成されて吸引力が生じ、ホコリが吸引力によって前記風路接続管に沿って前記ダストカップに吸い込まれて、前記サイクロンにより１次分離ろ過された後、前記フィルターにより２次ろ過され、最終的にホコリは前記ダストカップ内に溜まり、ろ過後のきれいな風は前記モータを介して排出される。
【００２０】
本考案の一つの好ましい実施形態において、さらに、前記ハンドルの内側にスイッチボタンが設けられ、前記スイッチボタンによりクリーナ本体の作動が制御され、前記ハンドルの把持部が軟質ゴムで被覆されている。
【００２１】
本考案の一つの好ましい実施形態において、さらに、前記風路接続管は導電性伸縮管を介して電動床ブラシに連結され、前記導電性伸縮管と前記風路接続管とはポップアップユニットを介して連結され、前記導電性伸縮管と電動床ブラシとはポップアップユニットを介して連結される。
【００２２】
本考案の一つの好ましい実施形態において、さらに、前記ダストカップは円筒状構造であり、前記ダストカップのホコリ堆積端部が開口しており、前記開口にホコリ排出カバーが設けられ、前記ホコリ排出カバーは押圧係止部材により前記ダストカップに固定され、前記押圧係止部材を手動で押圧することで前記ダストカップが開放されて、前記ダストカップからホコリが排出される。
【考案の効果】
【００２３】
本考案の有益な効果は、
その１、本考案のクリーナ本体は、本体全体構造のコンパクト化を図って、ダストカップが風路接続管の上部に横設されて、モータとダストカップの中心線とのなす角度が０〜６９°であり、０〜３０°が最も好ましく、前記最も好ましい角度の範囲内で、一方では風路をスムーズにして、性能の損失が削減され、他方では本体の体積が削減されて、本体のコンパクト化が大幅に向上し、本体の重さが低減され、使用者の操作が一層楽になる。
【００２４】
その２、本考案におけるモータと電池ユニットとは所定の角度をなし、クリーナ本体が横置されるときに、モータおよび電池ユニットがそれぞれ平面に支持点を有して、簡単にクリーナ本体を固定することができる。
【００２５】
その３、本考案における電池ユニットは安全機構により固定され、該構造は主に偏心軸および固定部材の２部分からなり、前記偏心軸は、クリーナ本体に横設され、固定部材に垂直であるとともに固定部材を挿通し、その一端はクリーナ本体の外部からの回転トルクを受け取ることが可能に構成されており、偏心軸は前記クリーナ本体の外部からの回転トルクを受けて回転し、回転時、回転中心線からずれており、前記固定部材に上方への力が加わって、固定部材が鉛直方向の上方に向かって移動し、固定部材の底端が前記電池ユニットから離間し、電池ユニットがクリーナ本体から取り外されるようになる。
【００２６】
上述した安全機構は設計が合理的で、構造が簡単で、占用空間が少なく、クリーナ本体の内部に内蔵可能であって、子供による電池ユニットの取り外しが効果的に防止されて、安全上の危険が削減され、一定の知的能力を持っている児童や大人のみ電池ユニットを着脱することができ、着脱時の操作も簡単である。
【００２７】
その４、本考案のクリーナ本体は導電性伸縮管により電動床ブラシと連結することができ、導電性伸縮管により床ブラシに電気を供給することができ、伸縮管の長さが調整可能となっていて、いろんな環境でクリーナを使用することができ、使用が便利である。
【００２８】
その５、前記床ブラシはモータ付き床ブラシであり、モータにより床ブラシのヘッドが床面を回転し、吸塵と同時に床面をかきとりながら清掃して、吸塵清掃の強度および効率が向上した。
【００２９】
その６、本考案の本体は複数の付属品と連結することができて、吸塵製品の使用に便利である。
【００３０】
その７、本考案の充電ピンは充電台に挿入されて充電を行い、充電時充電ピンが下方に向かっていて、一方では取り出しや取り戻しが便利であり、他方ではダストカップが下方に向かって置かれて、ダストカップ内のホコリが風路に戻されることがない。
【００３１】
その８、本考案のクリーナ本体のハンドルが軟質ゴムで被覆されて、本体の手触り感が向上し、特にハンドルの後上方の軟質ゴムは、使用者の親指と人差し指の間の関節を効果的に保護する。
【００３２】
その９、本考案のダストカップはボタン１つでホコリを排出する機能を有し、ホコリやゴミの清掃がよりしやすくなっている。
【００３３】
以上はただ本考案の技術的手段を説明したものであり、本考案の技術的手段をより明確に理解するために、明細書の内容に基づいて実施することができ、以下では本考案の好ましい実施例に添付図面をあわせて詳細に説明する。本考案の具体的な実施形態は次の実施例及びその添付図面により詳しく説明する。
【図面の簡単な説明】
【００３４】
本考案の実施例の技術における技術的手段をより明確に説明するために、実施例の技術の説明に使用される添付図面に対して簡単に説明し、言うまでもなく、次の説明における添付図面は本考案の一部の実施例に過ぎておらず、当業者にとって、創造的労働をせずにこれらの添付図面に基づいてほかの図面を得られることは自明である。
【図１】本考案の本体の正面図
【図２】図１の左側面図
【図３】図１の上面図
【図４】図1の断面図
【図５】図４中Ａの拡大模式図
【図６】本考案の構造模式図
【図７】電池ユニットを本体から取り外した後の構造模式図
【図８】ダストカップを本体から取り外した後の構造模式図
【図９】本考案の実施例１において床ブラシを取り付けた後の構造全体の模式図
【図１０】本体充電時の構造模式図
【図１１】実施例２において位置の原理を示す図
【図１２】実施例３において位置の原理を示す図
【図１３】実施例４において位置の原理を示す図
【図１４】本考案の実施例５において接続管及び床ブラシを取り付けた後の構造全体模式図
【図１５】本考案のポップアップユニットが連結した内部構造模式図である
【考案を実施するための形態】
【００３５】
次に本考案の実施例における添付図面を合わせて、本考案の実施例における技術的手段に対して明確で、完全な説明を行い、説明された実施例は本考案の実施例の一部に過ぎておらず、すべての実施例ではないことは明らかである。本考案における実施例に基づき、当業者が創造的労働をせずに取得したすべてのほかの実施例は、いずれも本考案の保護範囲に属する。
【実施例１】
【００３６】
実施例１はハンディクリーナ本体を開示し、図１、２、３、６に示すように、該本体は主に、ホコリを吸い込むための風路接続管１０と、吸引力を提供するためのモータ２０と、ホコリを溜めるためのダストカップ３０と、ハンドル４０とを備え、クリーナの作動状態において、風路が前記風路接続管１０、ダストカップ３０およびモータ２０を貫通し、前記風路の流れは図４における風路の矢印が示すとおりである。
【００３７】
詳しくは、図１、２、３、４、６に示すように、前記風路接続管１０は気流通路であり、前記風路接続管１０は一端が床ブラシに連結され、他端が風路接続管の排気口１０１に相当し、前記風路接続管の排気口１０１が前記ダストカップ３０の吸気口に連結され、前記ダストカップ３０の排気口が前記モータ２０の排風路に連結される。
【００３８】
前記モータ２０は前記風路接続管１０の排気口側に設けられ、前記モータ２０および風路接続管１０はいずれも前記ダストカップ３０の底部に設けられ、前記モータ２０と前記ダストカップ３０の中心線とのなす角度が０〜６９°である。角度が０°の場合、風路がスムーズではなく、角度が６９°の場合、風路が最もスムーズではあるが、モータが鉛直に置かれる場合に相当して、本体の空間が増大し、風路がスムーズでありながら、本体の空間に影響を及ぼさないようにするために、０〜３０°が最も好ましく、前記最も好ましい角度範囲内で、一方では風路がスムーズであり、他方では本体の体積が削減されて、本体のコンパクト化が大幅に向上し、本体の重さが削減され、使用者の操作が一層楽になる。
【００３９】
本実施例において、前記ダストカップ３０は横置され、横置されたダストカップ３０は本体の体積を効果的に削減し、前記ダストカップ３０の内部空間にサイクロン３０２が設けられ、前記サイクロン３０２の断面がテーパ状であり、前記サイクロン３０２の横断面積の小さい端部がホコリ堆積端であり、前記サイクロン３０２の横断面積の大きい端部が排気端であり、クリーナ本体が水平に置かれるとき、前記ダストカップ３０は前記風路接続管１０の上部に横設され、かつ前記風路接続管１０に平行であり、前記風路接続管１０は吸気口が水平方向であり、前記風路接続管１０の前記ダストカップの吸気口との接続箇所が垂直方向である。
【００４０】
図８に示すように、前記ダストカップ３０は着脱可能に前記本体に固定され、前記ダストカップ３０は円筒状構造であり、前記ダストカップ３０のホコリ堆積側が開口し、前記開口にホコリ排出カバー３０４が設けられている。前記ホコリ排出カバー３０４は押圧係止部材３０１により前記ダストカップ３０に固定され、前記押圧係止部材３０１を手動で押圧することで、前記ダストカップ３０が開放され、ホコリが前記ダストカップ３０から排出され、ダストカップ３０はボタン１つでホコリを排出する機能を有し、ホコリやゴミがより清掃しやすくなる。
【００４１】
前記ハンドル４０は前記ダストカップ３０の排気口の一側に設けられ、前記ハンドル４０と前記ダストカップ３０とは着脱可能に連結されている。使用上の利便性を図って、前記ハンドル４０の内側にスイッチボタン４０１が設けられ、前記スイッチボタン４０１によりクリーナ本体の動作が制御され、前記ハンドル４０の把持部が軟質ゴム４０２で被覆され、軟質ゴム４０２により本体の手触り感が向上する。
【００４２】
図４に示すように、前記風路は前記風路接続管１０、ダストカップ３０及びモータ２０の間に形成され、前記風路の方向は、前記モータの回転により負圧が形成されて吸引力が生じ、ホコリが床ブラシにより前記風路接続管に沿って前記ダストカップに吸い込まれて、前記ダストカップにおける前記サイクロンにより分離ろ過され、ホコリは前記ダストカップ内に溜まり、ろ過後のきれいな風は前記モータにより排出される。
【００４３】
本実施例における本体は２次ろ過機能を有し、１次ろ過はサイクロン３０２の分離ろ過により実現され、２次ろ過はフィルター３０３により実現され、前記フィルター３０３は前記サイクロン３０２の排気端に設けられ、即ち前記フィルター３０３はダストカップ３０の排気端とモータ２０の風路との間に設けられている。前記モータ２０の回転により負圧が形成されて吸引力が生じ、ホコリが床ブラシにより前記風路接続管１０に沿って前記ダストカップ３０に吸い込まれて、前記サイクロン３０２により１次分離ろ過された後、前記フィルター３０３により２次ろ過され、最終的にホコリは前記ダストカップ３０に溜まり、ろ過後のきれいな風は前記モータ２０により排出される。
【００４４】
本実施例において、前記クリーナ本体はコード式でもよいが、バッテリー式でもよく、図７に示すように、電池ユニット５０は着脱可能に前記ハンドル４０の底部に設けられ、前記電池ユニット５０の下縁部と前記モータ２０の下縁部とのなす角度が４５〜１３５°であり、クリーナ本体が水平に置かれるとき、前記電池ユニット５０と前記モータ２０はそれぞれ支持点を有する。
【００４５】
モータ２０と電池ユニット５０とは所定の角度を有し、クリーナ本体が横置されるとき、モータ２０及び電池ユニット５０はそれぞれ平面に支持点を有して、簡単にクリーナ本体を固定することができる。
【００４６】
電池ユニット５０が幼児により取り外されることを防止するために、前記電池ユニット５０は安全機構５１により前記クリーナ本体に着脱可能に連結されている。図４及び図５に示すように、前記安全機構５１は、主に偏心軸５１１及び固定部材５１２の２つの部材からなり、偏心軸５１１はクリーナ本体に横設され、前記固定部材５１２は前記偏心軸５１１に垂直であり、かつ前記偏心軸５１１に挿通される。
【００４７】
前記偏心軸５１１は中間本体部分が軸部となっており、その両端は断面面積が中間本体部分よりも大きくなっており、一端が前記クリーナ本体の外部からの回転トルクを受け取ることができ、他端の軸方向端面には押圧蓋５１３が当接される。
【００４８】
前記偏心軸５１１に回転トルクが加わるように、前記クリーナ本体に凹溝４０３が設けられ、前記凹溝４０３はハンドル４０の下部に設けられ、前記偏心軸５１１の一端が前記凹溝４０３に挿入され、前記偏心軸５１１の一端の端面につまみ溝５１５が設けられている。前記つまみ溝５１５により前記偏心軸５１１に回転トルクが加わり、回転トルクを受けた前記偏心軸５１１が偏心回転し、前記固定部材５１２が上方に移動し前記電池ユニット５０から離間する。
【００４９】
前記固定部材５１２は前記偏心軸５１１に垂直であり、すなわち、前記固定部材５１２は鉛直方向となっていて、前記偏心軸５１１に挿通され、前記固定部材５１２は鉛直方向に移動可能である。前記固定部材５１２が下方にある時、その底端が電池ユニット５０を押圧し、電池ユニット５０の前記固定部材５１２に接触される縁部と前記固定部材５１２とのなす角度が６９°未満である。
【００５０】
前記固定部材５１２の先端に復帰バネ５１４が設けられ、前記復帰バネ５１４の一端が前記固定部材５１２の先端を押圧し、前記復帰バネ５１４の他端が前記押圧蓋５１３の底面に連結されている。前記固定部材５１２が上方に向かって移動すると、前記復帰バネ５１４は圧力を受けて押圧され、固定部材５１２の上方への力が無くなると、前記復帰バネ５１４が受けていた力が無くなり、元の状態に復元しようと、前記固定部材５１２に下向きの復元力を加える。
【００５１】
本実施例において、前記固定部材５１２は縦断面がＴ字状であり、横断面面積の大きい一端が前記復帰バネ５１４に連結され、横断面面積の小さい他端が前記電池ユニット５０を押圧する。
【００５２】
前記押圧蓋５１３の縦断面は略「几」字状構造であり、前記押圧蓋５１３の内部に前記復帰バネ５１４を収容する空間が設けられ、前記押圧蓋５１３の側壁が前記偏心軸５１１に当接され、前記偏心軸５１１の軸方向の端面に段差構造が設けられ、段差構造が前記押圧蓋５１３の側壁に嵌合される。
【００５３】
前記安全機構の作動原理は次の通りである。
【００５４】
円片を前記つまみ溝５１５に挿入し、回転して前記偏心軸５１１に回転トルクを与え、偏心軸５１１は前記クリーナ本体１の外部からの回転トルクを受けて回転する。偏心軸５１１が回転する時、回転中心線５１０から偏心回転して、前記固定部材５１２に上向きの力を与え、前記固定部材５１２が鉛直方向の上方に向かって移動し、前記固定部材５１２の底端が前記電池ユニットから離れて、前記電池ユニット５０が前記クリーナ本体から取り外されるようになる。
【００５５】
本実施例は安全機構５１としてつまみ式を用いるとともに、安全機構が内蔵されており、つまみにより電池ユニット５０を取り外すことが低年齢層の幼児では分からないので、装置全体の安全性能が向上する。
【００５６】
前記電池ユニット５０は充電式バッテリーであるので、充電穴２０１がさらに設けられ、前記充電穴２０１は前記風路接続管１０の下端のモータ２０に近いところに設けられている。前記充電穴２０１には充電ピン２０２が内蔵され、前記充電ピン２０２が充電台に連結されることで前記電池ユニット５０が充電される。
【００５７】
充電時、図１０に示すように、前記充電ピン２０２は下方に向かって充電台に挿入され、前記ダストカップ３０は下方に向かって置かれ、充電ピン２０２を充電台に合わせて充電を行い、充電時充電ピンを下方に向けることで、一方では取り出しや取り戻しが便利になる。他方では、ダストカップ３０が下方に向かって置かれて、ダストカップ３０内のホコリが風路内に戻されることがない。
【００５８】
本実施例において、図９に示すように、電動床ブラシ６０を直接前記風路接続管１０に連結することができ、狭い空間での吸塵が便利になる。
【実施例２】
【００５９】
実施例２の本体構造と実施例１の本体構造は、モータ２０、ダストカップ３０、ハンドル４０、電池ユニット５０の間の位置関係にその違いがあり、その他機能は同じである。
【００６０】
実施例２において、図１１に示すように、ダストカップ３０はモータ２０の下方に横置されており、ハンドル４０と電池ユニット５０の位置は同じである。
【実施例３】
【００６１】
実施例３の本体構造と実施例１の本体構造は、モータ２０、ダストカップ３０、ハンドル４０、電池ユニット５０の間の位置関係にその違いがあり、その他機能は同じである。
【００６２】
実施例３において、図１２に示すように、ダストカップ３０はモータ２０の上方に横置されて、実施例１の位置関係と同じであり、電池ユニット５０がダストカップ３０の排気口の一端に設けられ、ハンドル４０が電池ユニット５０の下方に設けられるところにその違いがある。
【００６３】
実施例１〜３における電池はいずれも横置される。
【実施例４】
【００６４】
実施例４の本体構造と実施例１の本体構造は、モータ２０、ダストカップ３０、ハンドル４０、電池ユニット５０の間の位置関係にその違いがあり、その他機能は同じである。
【００６５】
実施例４において、図１３に示すように、ダストカップ３０はモータ２０の上方に横置されて、実施例１の位置関係と同じであり、電池ユニット５０がダストカップ３０とモータ２０側に設けられ、前記電池ユニット５０が縦置され、ハンドル４０が電池ユニット５０側に設けられるところにその違いがある。
【実施例５】
【００６６】
実施例５の本体構造は実施例１と同じであり、図１４に示すように、前記風路接続管１０が導電性伸縮管７０により電動床ブラシ６０に連結されるところにその違いがあり、前記導電性伸縮管７０と前記風路接続管１０とはポップアップユニット７０１により連結され、前記導電性伸縮管７０と電動床ブラシ６０とはポップアップユニット７０１により連結される。
【００６７】
前記ポップアップユニット７０１を用いることで、本体における押しボタンで連結された配管を開放する時、弾力効果が奏され、配管と床ブラシの連結にも同様に弾力効果が奏され、取り外すとき強く抜かなくても、簡単に取り外すことができる。
【００６８】
詳しくは、図１５に示すように、ポップアップユニット７０１の内部に支持フレーム７０２が設けられ、前記支持フレーム７０２が導電スリーブ７０３を位置規制し、導電スリーブ７０３にバネ７０４が嵌設されている。導電スリーブ７０３の下端に導電ピン７０５が接触され、バネ７０４の作用により、導電スリーブ７０３と導電ピン７０５との接触が確保されて、電源と接続する機能が実現される。
【００６９】
本実施例におけるクリーナ本体は導電性伸縮管により電動床ブラシに連結することができ、導電性伸縮管により床ブラシに電源が供給され、伸縮管は長さが調整可能となっていて、クリーナをいろんな環境に適用することができ、使用便利である。
【００７０】
床ブラシはモータ付き床ブラシであり、モータにより床ブラシのヘッドを床面で回転させ、ホコリを吸い取ると同時に床面をかきとりながら掃除するので、吸塵強度および効率が向上する。
【００７１】
ほかの実施例において、前記風路接続管１０を普通の配管により床ブラシに連結してもよい。
【００７２】
開示した実施例に対する説明に基づいて、当業者は本考案を実現または使用することができる。これらの実施例に対する様々な修正は当業者にとって自明であり、明細書に定義された一般的な原理は本考案の精神または範囲から逸脱しない限り、ほかの実施例において実現可能である。したがって、本考案は明細書に示されたこれらの実施例に限定されることなく、明細書に開示された原理および新規な特徴に一致した最も広い範囲を与えられるべきである。
【符号の説明】
【００７３】
図中、１０−風路接続管、２０−モータ、３０−ダストカップ、４０−ハンドル、５０−電池ユニット、６０−電動床ブラシ、７０−導電性伸縮管、８０−充電台、１０１−風路接続管的排気口、２０１−充電穴、２０２−充電ピン、３０１−押圧係止部材、３０２−サイクロン、３０３−フィルター、３０４−ホコリ排出カバー、４０１−スイッチボタン、４０２−軟質ゴム、４０３−凹溝、５１−安全機構、５１０−回転中心線、５１１−偏心軸、５１２−固定部材、５１３−押圧蓋、５１４−復帰バネ、５１５−つまみ溝、７０１−ポップアップユニット、７０２−支持フレーム、７０３−導電スリーブ、７０４−バネ、７０５−導電ピン。
【図１】
0003209631.tif 000003
【図２】
0003209631.tif 000004
【図３】
0003209631.tif 000005
【図４】
0003209631.tif 000006
【図５】
0003209631.tif 000007
【図６】
0003209631.tif 000008
【図７】
0003209631.tif 000009
【図８】
0003209631.tif 000010
【図９】
0003209631.tif 000011
【図１０】
0003209631.tif 000012
【図１１】
0003209631.tif 000013
【図１２】
0003209631.tif 000014
【図１３】
0003209631.tif 000015
【図１４】
0003209631.tif 000016
【図１５】
0003209631.tif 000017